(57)【要約】【課題】電子印鑑を用いなくとも画像データに印鑑データを挿入可能な情報処理装置を提供する。【解決手段】タッチパネル機能を有する表示部１５１に印鑑データを貼り付けるべき画像データＤ１の全体を表示させる。表示された画像データの表示領域Ｓ内にユーザの指が触れたことをタッチパネルが感知すると、当該接触情報から、指の位置の情報を取得して印鑑データの貼付位置を決定する。また、当該接触情報から、指紋情報を取得し、取得された指紋情報について対応付けられた印鑑データを画像データに貼り付けるべき印鑑データとして取得する。取得された印鑑データを貼付位置に貼り付けて、印鑑データが挿入された状態の画像データを作成する。【選択図】図５
2008092490.tif 000002
【特許請求の範囲】
【請求項１】
タッチパネルが取り付けられた表示手段と、
認証用指紋情報と前記認証用指紋情報に対応付けられた印鑑データとを登録した印鑑データテーブルを記憶する印鑑データテーブル記憶手段と、
前記表示手段に、印鑑データを貼り付けるべき貼付対象画像データの全体を表示させる画像データ表示処理手段と、
前記貼付対象画像データの表示領域において前記タッチパネルが感知した接触情報から指の位置情報を取得するとともに、前記位置情報に基づいて前記印鑑データの貼付位置を決定する貼付位置決定手段と、
前記接触情報から指紋情報を取得するとともに、前記指紋情報に対して肯定的な認証結果を与える前記認証用指紋情報と対応付けられた印鑑データを前記印鑑データテーブルより読み出して取得する印鑑データ取得手段と、
前記貼付対象画像データ中の前記貼付位置に、前記印鑑データ取得手段が取得した印鑑データを貼り付けて貼付画像データを作成する印鑑データ貼付処理手段と、
を備えることを特徴とする情報処理装置。
【請求項２】
請求項１に記載の情報処理装置において、
前記印鑑データ取得手段が、
前記指紋情報に対して肯定的な認証結果を与える前記認証用指紋情報と対応付けられた印鑑データが複数ある場合に、当該複数の印鑑データのうちから１つの印鑑データを選択する印鑑データ選択手段、
を備え、
前記印鑑データ取得手段が、前記印鑑データ選択手段が選択した印鑑データを前記印鑑データテーブルより読み出して取得することを特徴とする情報処理装置。
【請求項３】
請求項１に記載の情報処理装置において、
前記貼付位置決定手段が、
前記貼付対象画像データの表示領域において前記タッチパネルが感知した接触領域の中央位置を、前記貼付位置として決定することを特徴とする情報処理装置。
【請求項４】
請求項１に記載の情報処理装置において、
前記貼付画像データを、通信回線を介して接続された外部装置に対して送信する送信手段、
を備えることを特徴とする情報処理装置。
【発明の詳細な説明】
【技術分野】
【０００１】
この発明は、画像データ中の所定の位置に印鑑データを挿入する技術に関する。
【背景技術】
【０００２】
文書に対して印鑑を押す作業は日常の様々な場面で頻繁に行われている。例えばデジタルデータで作成した文書に押印してＦＡＸ送信したい場合、デジタルデータを一旦紙等の記録媒体上にプリントアウトしたものに押印し、それをＦＡＸ装置に読み取らせてＦＡＸ送信する態様が一般的である。このような現状においては、ＦＡＸ装置がＬＡＮ等を介して取得した原稿のデジタルデータをそのままＦＡＸ送信する機能を備えている場合であっても、印鑑を押したい場合には押印するためだけにデジタルデータを紙等にプリントアウトしなければならなくなり、コスト面でも作業効率の面でも無駄があった。
【０００３】
そこで、プリントアウトされた文書に実際に印鑑を用いて押印しなくとも、デジタルデータ状態の文書に印鑑データを合成して、電子承認を与える技術が考案されている。例えば特許文献１の技術では、電子文書が表示されているタッチパネル上で電子印鑑が押捺されたことが検出されると、表示された電子文書上の電子印鑑の押捺位置に印鑑イメージを貼り付ける。つまり、実際に印鑑を用いて原稿に押印しなくとも、電子印鑑でタッチパネル上を押捺するだけで電子承認された電子文書を作成することが可能となる。
【０００４】
また、いうまでもなく印鑑は不正に使用されると重大な損害を招く可能性があるので、慎重に保管されなければならない。電子印鑑であってもこの事情は変わりなく、不正使用に対する対策を十分に講じておく必要がある。電子印鑑の不正使用を未然に防ぐ技術は、例えば特許文献２で提案されている。ここでは、電子印鑑の把持位置に指紋の検出部を設けておき、電子印鑑を使用する者の指紋を検出する。そして、検出した指紋情報を用いて使用者の認証判断を行い、肯定的な認証結果が得られた場合に限り印鑑データを電子文書に挿入する。つまり、不正使用者が電子印鑑を使用しても印鑑データが電子文書に挿入されないこととなり、電子印鑑の不正使用が防止される。
【０００５】
【特許文献１】特開２００４−２３５９１３号公報
【特許文献２】特開２００４−２１４７９２号公報
【発明の開示】
【発明が解決しようとする課題】
【０００６】
従来の技術によると、実際に印鑑を用いて原稿に押印しなくとも、デジタルデータ状態の文書に印鑑データを挿入することは可能となる。しかしながら、従来のように電子印鑑を用いて印鑑データを挿入する構成では、電子印鑑が不正使用されることによって印鑑データが挿入された文書が不正に作成されるおそれがあり、電子印鑑を厳重に管理しなければならないという面倒さがあった。
【０００７】
また、不正使用だけでなく、電子印鑑を紛失するというおそれもあった。特許文献２のように不正使用を防止する技術は考案されてはいるものの、電子印鑑自体をなくしてしまったら、不正使用以前に正当な本人であっても印鑑データを挿入することができなくなってしまう。
【０００８】
また、当然のことながら電子印鑑は他人と共有できないものであるため、コストがかかってしまう。特に、印鑑は文書の種類に応じて複数種類のものが使い分けられるのが通常であり、デジタルデータにも複数種類の印鑑データを選択的に挿入したいという要望が当然にある。各人が複数種類の電子印鑑を保有するとなると、一層コストがかかってしまう。
【０００９】
この発明は、このような事情に鑑みてなされたものであって、電子印鑑を用いなくとも画像データに印鑑データを挿入可能な情報処理装置を提供することを目的としている。
【課題を解決するための手段】
【００１０】
請求項１の発明は、タッチパネルが取り付けられた表示手段と、認証用指紋情報と前記認証用指紋情報に対応付けられた印鑑データとを登録した印鑑データテーブルを記憶する印鑑データテーブル記憶手段と、前記表示手段に、印鑑データを貼り付けるべき貼付対象画像データの全体を表示させる画像データ表示処理手段と、前記貼付対象画像データの表示領域において前記タッチパネルが感知した接触情報から指の位置情報を取得するとともに、前記位置情報に基づいて前記印鑑データの貼付位置を決定する貼付位置決定手段と、前記接触情報から指紋情報を取得するとともに、前記指紋情報に対して肯定的な認証結果を与える前記認証用指紋情報と対応付けられた印鑑データを前記印鑑データテーブルより読み出して取得する印鑑データ取得手段と、前記貼付対象画像データ中の前記貼付位置に、前記印鑑データ取得手段が取得した印鑑データを貼り付けて貼付画像データを作成する印鑑データ貼付処理手段と、を備える。
【００１１】
請求項２の発明は、請求項１に記載の情報処理装置において、前記印鑑データ取得手段が、前記指紋情報に対して肯定的な認証結果を与える前記認証用指紋情報と対応付けられた印鑑データが複数ある場合に、当該複数の印鑑データのうちから１つの印鑑データを選択する印鑑データ選択手段、を備え、前記印鑑データ取得手段が、前記印鑑データ選択手段が選択した印鑑データを前記印鑑データテーブルより読み出して取得する。
【００１２】
請求項３の発明は、請求項１に記載の情報処理装置において、前記貼付位置決定手段が、前記貼付対象画像データの表示領域において前記タッチパネルが感知した接触領域の中央位置を、前記貼付位置として決定する。
【００１３】
請求項４の発明は、請求項１に記載の情報処理装置において、前記貼付画像データを、通信回線を介して接続された外部装置に対して送信する送信手段、を備える。
【発明の効果】
【００１４】
請求項１〜４に記載の発明によれば、タッチパネルが感知した接触情報から指紋情報を取得し、取得した指紋情報に対して肯定的な認証結果を与える認証用指紋情報と対応付けられた印鑑データを読み出して取得する。そして、取得した印鑑データを画像データに貼り付ける。したがって、ユーザは、電子印鑑を用いなくとも、自己の指紋情報をタッチパネルに読み取らせるだけで、印鑑データを挿入することができる。また、印鑑データを取り出すにあたって指紋認証が行われるので、印鑑データが他人によって不正に使用される危険もない。さらにまた、接触情報から指の位置の情報と指紋情報とを取得し、取得された各情報に基づいて貼付位置と貼り付けるべき印鑑データとを決定するので、ユーザは一度タッチパネルに触れるだけで、所望の位置に自らの印鑑データを挿入することができる。つまり、簡便な操作で印鑑データを挿入することが可能となる。
【００１５】
特に、請求項２に記載の発明によれば、認証用指紋情報と対応付けられた複数の印鑑データのうちから１つの印鑑データを選択して取得するので、１以上の印鑑データの中から印鑑データ選択的に挿入することが可能となる。
【００１６】
特に、請求項３に記載の発明によれば、貼付対象画像データの表示領域においてタッチパネルが感知した接触領域の中央位置を貼付位置として決定するので、ユーザが印鑑データの貼付を所望する貼付位置を正確に特定して印鑑データを貼り付けることができる。
【発明を実施するための最良の形態】
【００１７】
〈１．デジタル複合機の構成〉
図１は、この発明に係る情報処理装置の実施の形態に相当するデジタル複合機１の構成を示す図である。デジタル複合機１は、ＦＡＸ機能、コピー機能、スキャン機能、プリント機能などの複数の機能を有する複合機（ＭＦＰ装置）として構成されている。
【００１８】
デジタル複合機１は、制御部１１と、ＲＯＭ１２と、データメモリ１３と、画像メモリ１４と、操作パネル１５と、画像処理部１６と、画像読取部１７と、画像記録部１８と、大容量蓄積部１９と、通信関係の処理部２０〜２２とを、バスラインＢＬを介して電気的に接続した構成となっている。
【００１９】
制御部１１は、ＣＰＵで構成されている。制御部１１は、ＲＯＭ１２に記憶されたプログラムＰに基づいて上記のハードウエア各部を制御し、デジタル複合機１の機能を実現する。
【００２０】
ＲＯＭ１２は、デジタル複合機１の制御に必要なプログラムＰやデータを予め格納した読み出し専用の記憶装置である。
【００２１】
データメモリ１３は、読み出しと書き込みとが可能な記憶装置であり、画像データ、ＦＡＸ番号、メールアドレスなどの一時的に蓄積される諸データや、制御部１１による演算処理の際に発生するデータなどを一時的に記憶する。データメモリ１３はＳＲＡＭやフラッシュメモリなどで構成される。
【００２２】
画像メモリ１４は、ＬＡＮＩ／Ｆ２３やＮＣＵ２２を通じて外部装置から受信した画像データ、画像読取部１７において取得された画像データ、画像処理部１６において処理された画像データなどを一時的に記憶するための記憶装置である。画像メモリ１４は、読み出しと書き込みとが可能なＤＲＡＭ等のメモリにより構成される。
【００２３】
操作パネル１５は、ユーザインタフェースとして機能する処理部である。操作パネル１５は、表示部１５１と、操作キー群１５２とを有している。
【００２４】
表示部１５１は、各種の情報を表示するとともにユーザ操作を受け付ける。表示部１５１は、表示パネル５１１と、表示パネル５１１に取り付けられたタッチパネル５１２とを備えている。表示パネル５１１は、デジタル複合機１の動作状態や、後述する「貼付対象画像データＤ１」などを表示する装置であり、例えば液晶ディスプレイにより構成される。タッチパネル５１２は、表示パネル５１１の表示画面領域内に指などが触れたことを感知して、その接触情報を取得する。このタッチパネル５１２は指紋センサ機能を有しており、触れられた指の接触情報から指紋のパターンを読み取って指紋情報として取得することができる。
【００２５】
操作キー群１５２は、文字キー、テンキー、ファンクションキーなどの各種キーによって構成され、コマンドやテキストデータの入力といったユーザ操作を受け付ける。操作キー群１５２のユーザ操作は信号として制御部１１に入力される。制御部１１はユーザ操作に基づいて各部の動作を制御する。
【００２６】
画像処理部１６は、受信された画像データや、画像読取部１７から取得した画像データにＡ／Ｄ変換、表色系の変換、色調整、画像の合成などの種々の処理を行う処理部である。
【００２７】
画像読取部１７は、原稿上の画像をＣＣＤラインセンサなどの読取素子によって読み取るスキャナーである。画像読取部１７は、ガラス台上に載置された原稿の表面を読取素子が走査して画像を読み取るタイプのスキャナーであってもよく、原稿の載置台（図示省略）に載置された原稿を、ＡＤＦ（Auto Document Feeder）によって搬送し、搬送される原稿の表面を静止した読取素子によって走査して画像を読み取るタイプのスキャナーであってもよい。
【００２８】
画像記録部１８は、画像メモリ１４に格納された画像データなどを記録紙上へ記録するプリンタである。画像記録部１８には、例えば、電子写真方式のプリンタを採用することができる。
【００２９】
大容量蓄積部１９は、ハードディスクなどにより構成される。大容量蓄積部１９は、画像読取部１７により処理された画像データを蓄積することができる。
【００３０】
さらにこのデジタル複合機１には、通信関係の処理部として、画像データ等を複数のプロトコルに対応して符号化/復号化するコーデック（ＣＯＤＥＣ）２０と、送受信データの変調および復調を行うモデム２１と、電話回線の開閉制御を行うＮＣＵ２２と、ＬＡＮとのインタフェースに相当するＬＡＮＩ／Ｆ２３とが、バスラインＢＬを介して電気的に接続した構成となっている。
【００３１】
ここで、デジタル複合機１の通信環境について説明する。デジタル複合機１はＬＡＮと接続されておいる。また、ＬＡＮはルータなどを介してインターネットに接続されている。これにより、デジタル複合機１は、ＬＡＮを介して接続された外部装置やインターネットを介して接続された外部装置と電子メール通信などを行うことができる。さらに、デジタル複合機１は、アナログ回線用のデータ通信ネットワークであるＰＳＴＮ（公衆交換電話網）と接続されている。これによって、デジタル複合機１はＰＳＴＮを介して接続された外部装置とのＦＡＸ通信を行うことができる。なお、外部装置は、例えば、モデム接続されたパソコン、デジタル複合機１と同様の装置、固定電話、携帯電話、ＦＡＸ専用機等である。
【００３２】
上述のように、デジタル複合機１は、通信回線を介して接続された外部装置から電子メール通信やＦＡＸ通信によって画像データを取得する機能部（信関係の処理部２０〜２２）や、原稿上の画像を読み取ることにより画像データを取得する機能部（画像読取部１７）を有している。これら画像データを取得する機能部を、以下において画像データ取得部１１１（図２）と総称する。
【００３３】
また、デジタル複合機１は、上述のように、通信回線を介して接続された外部装置に対して電子メール通信やＦＡＸ通信によって画像データを送信する機能部（信関係の処理部２０〜２２）や、画像データなどを記録紙上へ記録する機能部（画像記録部１８）を有している。これら画像データを外部装置に送信したり記録媒体上に出力する機能部を、以下において画像データ出力部１１２（図２）と総称する。
【００３４】
〈印鑑データの挿入に関する構成〉
デジタル複合機１は、画像データに電子的に印鑑を押捺する機能（すなわち、画像データ中に印鑑データを挿入する機能）を有している。図２にはこの機能を実現する構成のブロック図が示されている。図２に示すように、デジタル複合機１は、画像データ表示処理部１０１と、貼付位置決定部１０２と、印鑑データ取得部１０３と、印鑑データ貼付処理部１０４と、印鑑データテーブル登録管理部１０５とを有している。これら各部は、制御部１１がＲＯＭ１２上のプログラムＰを実行することにより実現される。また、データメモリ１３には印鑑データテーブルＴが記憶されている。
【００３５】
画像データ表示処理部１０１は、画像メモリ１４から印鑑データを挿入すべき画像データ（以下において「貼付対象画像データＤ１」という）を読み出して、その貼付対象画像データＤ１の全体を表示部１５１に表示する。
【００３６】
貼付位置決定部１０２は、タッチパネル５１２に接続されており、表示部１５１の表示画面領域（より具体的には、表示画面に表示された貼付対象画像データＤ１の表示領域（以下において「データ表示領域Ｓ」という（図５参照））においてタッチパネル５１２が感知した接触情報から指の位置情報を取得するとともに、取得した位置情報に基づいて印鑑データの貼付位置を決定する。また、決定した貼付位置を印鑑データ貼付処理部１０４に送信する。貼付位置決定部１０２は、次のように貼付位置を決定する。まず、データ表示領域Ｓにおいてタッチパネル５１２が感知した接触情報から、データ表示領域Ｓ内で接触が感知された領域（接触領域Ｑ（図５参照））を特定し、さらに接触領域Ｑの中央位置Ｐを特定する。続いて、中央位置Ｐの表示領域Ｓ内での相対的な座標位置（すなわち、中央位置Ｐの貼付対象画像データＤ１内での座標位置）を算出し、算出された座標位置を印鑑データの貼付位置として決定する。
【００３７】
上記の中央位置Ｐとしては、接触領域Ｑの２次元座標のＸ，Ｙ成分のそれぞれの最大値と最小値とをＸmax，Ｘmin、Ｙmax，Ｙmin（図５）としたとき、それぞれの２等分値Ｘh，Ｙh：
Ｘh＝（Ｘmax＋Ｘmin）／２；
Ｙh＝（Ｙmax＋Ｙmin）／２；
から得られる座標値（Ｘh、Ｙh）を用いることが最も簡便であるが、接触領域Ｑの重心位置（Ｘc，Ｙc）、すなわち分布関数Ｆとして、
Ｆ（Ｘ，Ｙ）＝１（接触領域Ｑの内部）；
Ｆ（Ｘ，Ｙ）＝０（接触領域Ｑの外部）；
を定義して、この関数Ｆ（Ｘ，Ｙ）を積分のウエイトとしつつＸ，Ｙのそれぞれを加重平均して得られる位置を、中央位置Ｐとして採用してもよい。
【００３８】
また、ユーザが指で場所を指定するときには、接触領域Ｑのうち指先に近い側で指定しようとする意識が働きやすいため、２等分値や重心値などを用いた座標値（Ｘc、Ｙc）から所定の割合または所定の距離だけ、指先側（文章画像や写真画像などの上側）にオフセットさせた位置を中央位置として採用してもよい。
【００３９】
印鑑データ取得部１０３は、指紋データ取得部３１と指紋対応印鑑データ取得部３２とを有している。
【００４０】
指紋データ取得部３１は、タッチパネル５１２に接続されており、表示部１５１の表示画面領域（より具体的には、データ表示領域Ｓ）においてタッチパネル５１２が感知した接触情報から指紋情報を取得する。また、取得した指紋情報を指紋対応印鑑データ取得部３２に送信する。
【００４１】
指紋対応印鑑データ取得部３２は、貼付対象画像データＤ１に挿入すべき印鑑データ（以下において「貼付印鑑データＵ」という）を取得する。貼付印鑑データＵの取得は、次のように行われる。ただし、後に説明するように、印鑑データテーブルＴには、認証用指紋情報と各認証用指紋情報に対応付けられた印鑑データとが予め登録されている。指紋対応印鑑データ取得部３２は、まず、印鑑データテーブルＴに登録された認証用指紋情報と指紋データ取得部３１から受信した指紋情報との認証判断を行い、肯定的な認証結果を与える認証用指紋情報を特定する。続いて、肯定的な認証結果を与える認証用指紋情報と対応付けられた印鑑データを印鑑データテーブルＴより読み出して、貼付印鑑データＵとして取得する。また、取得した貼付印鑑データＵを印鑑データ貼付処理部１０４に送信する。なお、指紋情報の照合アルゴリズムとしては、パターンマッチング法、マニューシャ法、周波数解析法などがあるがいずれが採用されてもよい。
【００４２】
印鑑データ貼付処理部１０４は、画像データに電子的に印鑑データを押捺する。すなわち、貼付対象画像データＤ１の所定位置（すなわち、貼付位置決定部１０２から受信した貼付位置）に、貼付印鑑データＵ（すなわち、指紋対応印鑑データ取得部３２から受信した貼付印鑑データＵ）を貼り付け合成する。
【００４３】
〈印鑑データテーブルＴ〉
指紋対応印鑑データ取得部３２が印鑑データを取得する際に参照する印鑑データテーブルＴについて説明する。印鑑データテーブルＴは、予め登録された認証用指紋情報と認証用指紋情報に対応付けられた印鑑データとを登録したテーブルであり、その構成例が図３に示されている。なお、図３においては、印鑑データや指紋データが直接印鑑データテーブルＴに格納されているように示しているが、印鑑データや指紋データに識別記号を付して画像メモリ１４内に格納しておき、印鑑データテーブルＴには各データの識別記号を格納する構成としてもよい。
【００４４】
印鑑データテーブルＴは、印鑑データテーブル登録管理部１０５によって管理されている。印鑑データテーブル登録管理部１０５は、指紋データ登録受付部５１と印鑑データ登録受付部５２とを備えている。
【００４５】
指紋データ登録受付部５１は、ユーザ認証の照合用に用いられる指紋情報（認証用指紋情報）の登録を受け付けるとともに、受け付けた認証用指紋情報をユーザのＩＤ情報と対応付けて印鑑データテーブルＴに登録する。
【００４６】
印鑑データ登録受付部５２は、印鑑データの登録を受け付ける。印鑑データの登録を受け付ける際には、まず、印鑑データを登録しようとするユーザに指紋情報を入力させ、印鑑データテーブルＴに登録された認証用指紋情報のうちで、入力された指紋情報に対して肯定的な認証結果を与える認証用指紋情報を特定する。続いて、印鑑データの登録を受け付けるとともに、受け付けた印鑑データを肯定的な認証結果を与える認証用指紋情報と対応付けて印鑑データテーブルＴに登録する。なお、登録される印鑑データは画像データ取得部１１１が取得する。
【００４７】
〈２．処理動作〉
デジタル複合機１が画像データ中に印鑑データを挿入する際の処理動作の具体的な例として、ＦＡＸ送信原稿に印鑑データを挿入して、ＦＡＸ送信する場合の処理動作を図４を参照しながら説明する。ただし、この処理動作が行われる前に、予め印鑑データテーブル登録管理部１０５が、ユーザより認証用指紋情報および認証用指紋情報に対応付けられた印鑑データの登録を受け付けて印鑑データテーブルＴに登録している。
【００４８】
はじめに、画像データ取得部１１１が送信原稿の画像データを取得する（ステップＳ１）。送信原稿の画像データは、画像読取部１７から送信原稿を読み取って取得してもよいし、外部装置から通信回線を介して受信してもよい。また、画像データ取得部１１１は取得した画像データを画像メモリ１４に送信し、画像メモリ１４は受信した画像データを蓄積する。
【００４９】
続いて、印鑑データの挿入指示が入力されるのを待ち受ける（ステップＳ２）。ユーザが操作パネル１５を介して、印鑑データの挿入指示を入力した場合（ステップＳ２でＹＥＳ）、当該指示入力を受け付けて印鑑データの挿入処理を開始する。なおこの際、ユーザに、画像メモリ１４内に格納された画像データの中から貼付対象画像データＤ１を特定する情報を入力させる。例えば、ステップＳ１で読み込んだ画像データを表示部１５１に一覧表示して、その中から貼付対象画像データＤ１を選択させる。
【００５０】
印鑑データの挿入処理が開始されると、まず、画像データ表示処理部１０１が、画像メモリ１４から貼付対象画像データＤ１を読み出すとともに、読み出した貼付対象画像データＤ１の全体を表示部１５１に表示する（ステップＳ３）。図５には貼付対象画像データＤ１が表示された状態の表示部１５１が例示されている。
【００５１】
続いて、タッチパネル５１２がデータ表示領域Ｓ内に指が触れたことを感知したか否かを判断する（ステップＳ４）。
【００５２】
タッチパネル５１２が表示画面領域内に指が触れたことを感知した場合（ステップＳ４でＹＥＳ）、貼付位置決定部１０２が、ステップＳ４でタッチパネル５１２が感知した接触情報から指の位置情報を取得するとともに、取得した位置情報に基づいて印鑑データの貼付位置を決定する（ステップＳ５）。また、決定した貼付位置を印鑑データ貼付処理部１０４に送信する。
【００５３】
続いて、指紋データ取得部３１が、ステップＳ４でタッチパネル５１２が感知した接触情報から指紋情報を取得する（ステップＳ６）。また、取得した指紋情報を指紋対応印鑑データ取得部３２に送信する。
【００５４】
続いて、指紋対応印鑑データ取得部３２が、印鑑データテーブルＴに登録された認証用指紋情報とステップＳ６で取得された指紋情報との認証判断を行い、肯定的な認証結果を与える認証用指紋情報を特定する（ステップＳ７）。
【００５５】
続いて、指紋対応印鑑データ取得部３２が、ステップＳ７で特定された認証用指紋情報と対応付けられた印鑑データを印鑑データテーブルＴより読み出して、貼付印鑑データＵとして取得する（ステップＳ８）。
【００５６】
続いて、印鑑データ貼付処理部１０４が、ステップＳ３で読み出された貼付対象画像データＤ１中の、ステップＳ５で決定された貼付位置に、ステップＳ８で読み出された貼付印鑑データＵを貼り付ける（ステップＳ９）。なお、ここで作成された画像データ（すなわち、貼付印鑑データＵが貼り付けられた画像データ）を以下において「貼付画像データＤ２」という。なお、貼付画像データＤ２がカラー出力される場合には、印鑑データを所定の色（例えば朱色）に変換して貼り付けるとしてもよい。
【００５７】
続いて、画像データ表示処理部１０１が、ステップＳ９で作成された貼付画像データＤ２の全体を表示部１５１に表示する（ステップＳ１０）。また、同時に印鑑データの貼付をやり直すか否かをユーザに確認する確認ウインドウＥを表示する。図６には貼付画像データＤ２および確認ウインドウＥが表示された状態の表示部１５１が例示されている。
【００５８】
ステップＳ１０で表示された貼付画像データＤ２を見たユーザが、確認ウインドウＥより印鑑データの貼付をやり直す指示を入力した場合（ステップＳ１１でＹＥＳ）、貼付画像データＤ２から印鑑データを削除して（すなわち、貼付対象画像データＤ１の状態に戻して）、再びステップＳ４の判断処理を行う。
【００５９】
ステップＳ１０で表示された貼付画像データＤ２を確認したユーザが、確認ウインドウＥより貼付画像データＤ２に対する肯定的な確認指示を入力した場合（ステップＳ１１でＮＯ）、画像データ出力部１１２が貼付画像データＤ２をＦＡＸ送信する（ステップＳ１２）。
【００６０】
なお、ここでは画像データ中に印鑑データを挿入する際の処理動作の具体的な例として、ＦＡＸ送信原稿を読み取って取得した画像データに印鑑データを挿入してＦＡＸ送信する場合の処理動作を説明したが、デジタル複合機１は、ＦＡＸ送信原稿に限らず画像メモリ１４に格納された任意の画像データに印鑑データを挿入して貼付画像データＤ２を作成することが可能であり、また作成した貼付画像データＤ２を任意の態様で画像データ出力部１１２から出力することが可能である。例えば、外部端末から受信した画像データを画像メモリ１４から読み出して、所望の位置に所望の印鑑データを貼り付けた貼付画像データＤ２を作成し、画像記録部１８からプリントアウトすることができる。
【００６１】
〈３．効果〉
この実施の形態によれば、指紋データ取得部３１がタッチパネル５１２が感知した接触情報から指紋情報を取得し、指紋対応印鑑データ取得部３２が、取得された指紋情報に対して肯定的な認証結果を与える認証用指紋情報と対応付けられた印鑑データを貼付印鑑データＵとして印鑑データテーブルＴから読み出して取得する。したがって、ユーザは、電子印鑑等を用いなくとも、表示部１５１に触れて自己の指紋情報をタッチパネル５１２に読み取らせるだけで、印鑑データを挿入することができる。また、印鑑データを取り出すにあたって指紋認証が行われるので、自己の指紋情報と対応付けられた印鑑データが他人によって不正に使用される危険もない。
【００６２】
また、貼付位置決定部１０２が、タッチパネル５１２が感知した接触情報（より具体的には、表示部１５１の表示画面領域に触れられた指の位置の情報）に基づいて印鑑データの貼付位置を決定する。したがって、ユーザは、表示部１５１にその全体が表示された画像データＤ１中の所望の位置に触れるだけで、当該位置に印鑑データを挿入することができる。
【００６３】
また、タッチパネル５１２が感知した接触情報から、貼付位置決定部１０２と指紋データ取得部３１とがそれぞれ指の位置情報と指紋情報とを取得し、取得された各情報に基づいて貼付位置と印鑑データとが決定されるので、ユーザは表示部１５１に一度触れるだけで、所望の位置に自らの印鑑データを挿入することができる。つまり、簡便な操作で印鑑データを挿入することが可能となる。
【００６４】
また、貼付位置決定部１０２は、タッチパネル５１２が検知した接触領域の中央位置が画像データ中で占める相対的な位置座標を貼付位置に決定する。したがって、ユーザが印鑑データの貼付を所望する貼付位置を正確に特定して印鑑データを貼り付けることができる。
【００６５】
また、捺印した画像を外部装置に送信したい場合に、原稿の画像データに直接印鑑データを貼り付けて貼付画像データＤ２を作成してＦＡＸ送信するので、プリントアウトした原稿に押捺したものを再度読み取ってＦＡＸ送信させる必要がない。また、原稿は押捺されない状態のまま保存することが可能となる。
【００６６】
〈４．変形例〉
〈変形例１〉
印鑑データテーブルには、登録された認証用指紋情報のそれぞれに対応付けて１以上の印鑑データとが登録されてもよい。その場合の印鑑データテーブルＴ１の構成例が図７（ａ）に示されている。
【００６７】
この変形例の場合、指紋対応印鑑データ取得部３２は、次のようにして貼付印鑑データＵを取得する。まず、印鑑データテーブルＴ１に登録された認証用指紋情報と指紋データ取得部３１から受信した指紋情報との認証判断を行い、肯定的な認証結果を与える認証用指紋情報を特定する。続いて、肯定的な認証結果を与える認証用指紋情報と対応付けられた１以上の印鑑データの全てを印鑑データテーブルＴ１より読み出して、表示部１５１に一覧表示する。続いて、挿入すべき印鑑データを一覧表示された印鑑データの中からユーザに選択させる。ユーザからの選択入力を受け付けると、当該選択された印鑑データを印鑑データテーブルＴ１より読み出して、貼付印鑑データＵとして取得する。
【００６８】
なお、指紋対応印鑑データ取得部３２が、貼付対象画像データＤ１の種類に応じて、一覧表示された印鑑データの中から挿入すべき印鑑データを自動に選択する構成としてもよい。例えば、貼付対象画像データＤ１がＦＡＸ送信のカバーページである場合は、カバーページ用の印鑑データとして予め指定された印鑑データを挿入する構成としてもよい。
【００６９】
この変形例によると、認証用指紋情報と対応付けられた少なくとも１以上の印鑑データのうちから１つの印鑑データを選択して取得するので、１以上の印鑑データの中から印鑑データ選択的に挿入することが可能となる。つまり、印鑑データを挿入する文書の種類に応じて印鑑を使い分けることが可能となる。
【００７０】
〈変形例２〉
印鑑データテーブルには、各ユーザが１以上の認証用指紋情報を登録してもよい、すなわち、ユーザＩＤと対応付けて１以上の認証用指紋情報が登録されてもよい。その場合の印鑑データテーブルＴ２の構成例が図７（ｂ）に示されている。
【００７１】
この変形例の場合、指紋データ登録受付部５１は、同一ユーザから認証用指紋情報の登録を１以上受け付けるとともに、受け付けた認証用指紋情報をユーザのＩＤ情報と対応付けて印鑑データテーブルＴ２に登録する。
【００７２】
例えば、ユーザは自分の親指の指紋と人差し指の指紋とを認証用指紋情報として登録することができる。この場合、人差し指の認証用指紋情報と対応づけて第１の印鑑データを登録し、親指の認証用指紋情報と対応付けて第１の印鑑データとは異なる第２の印鑑データを登録することによって、複数の印鑑データを登録することができる。この場合、第１の印鑑データを貼付印鑑データＵとして選択したい場合は表示画面領域に表示された画像データＤ１（図４のステップＳ３参照）を人差し指で触れればよいし、第２の印鑑データの場合は親指で触れればよい。
【００７３】
この変形例によると、ユーザが異なる指の指紋を証用指紋情報として登録し、各認証用指紋情報に印鑑データを対応付けるので、表示部１５１に触れる指を換えることによって印鑑データを選択的に挿入することが可能となる。
【００７４】
〈その他の変形例〉
この発明に係る情報処理装置は、例えばパーソナルコンピュータによって実現されてもよい。この場合、上記の実施の形態に係るデジタル複合機１の表示部１５１は、パーソナルコンピュータの表示画面および表示画面に取り付けられたタッチパネルによって実現される。
【００７５】
また、印鑑データテーブルに登録された印鑑データをそのまま画像データＤ１に挿入するのではなく、登録された印鑑データに所定の画像データを付加した上で画像データＤ１に貼り付ける構成としてもよい。例えば、図７（ａ）に示されるように、印鑑データ内の所定部分の日付挿入領域ｒが存在する印鑑データＲを画像データに挿入する場合には、印鑑データ貼付処理部１０４が、日付挿入領域ｒに印鑑データを挿入する際の日付を示す画像データを付加した上で、印鑑データＲを画像データＤ１に貼り付けてもよい。
【図面の簡単な説明】
【００７６】
【図１】この発明に係る情報処理装置の実施の形態に相当するデジタル複合機の構成を示す図である。
【図２】画像データ中に印鑑データを挿入する機能を実現する構成を示す図である。
【図３】印鑑データテーブルの構成を例示する図である。
【図４】ＦＡＸ送信原稿に印鑑データを挿入して、ＦＡＸ送信する場合の処理動作の流れを示す図である。
【図５】画像データが表示された状態の表示部１５１を例示する図である。
【図６】貼付画像データが表示された状態の表示部１５１を例示する図である。
【図７】印鑑データテーブルの構成を例示する図である。
【符号の説明】
【００７７】
１  デジタル複合機
３１  指紋データ取得部
３２  指紋対応印鑑データ取得部
５１  指紋データ登録受付部
５２  印鑑データ登録受付部
１５１  表示部
１０１  画像データ表示処理部
１０２  貼付位置決定部
１０３  印鑑データ取得部
１０４  印鑑データ貼付処理部
１０５  印鑑データテーブル登録管理部
１１１  画像データ取得部
１１２  画像データ出力部
５１１  表示パネル
５１２  タッチパネル
Ｔ，Ｔ１，Ｔ２  印鑑データテーブル
Ｄ１  貼付対象画像データ
Ｄ２  貼付画像データ
【図１】
2008092490.tif 000003
【図２】
2008092490.tif 000004
【図３】
2008092490.tif 000005
【図４】
2008092490.tif 000006
【図５】
2008092490.tif 000007
【図６】
2008092490.tif 000008
【図７】
2008092490.tif 000009